(57)【要約】【課題】移動通信端末がランダムアクセス通信を行ない、合わせてネットワークからの異周波数測定可能フレームに対応して異周波数測定を行なうものにおいて、異周波数測定とランダムアクセス通信との衝突を予め回避し、ランダムアクセス通信のスループットを改善する。【解決手段】  移動通信端末が、異周波数測定可能フレームと重複する不能アクセススロットを計算し、許可されたアクセススロットから、この不能アクセススロットを除外したアクセススロットでランダムアクセス通信を行なう。【選択図】図１
2005210640.tif 000002
【特許請求の範囲】
【請求項１】
それぞれが通信セルを構成する複数の基地局を含むネットワークの中を移動する移動通信端末が、その存在する通信セルに対応する基地局に共通チャンネルを用いて上り方向にプリアンブル送信を行ない、このプリアンブル送信に対して基地局が下り方向に前記移動通信端末へ許可信号を送った場合に、前記移動通信端末が前記共通チャネルを通じて許可されたアクセススロットでランダムアクセス通信を行ない、併せて他の基地局との通信に向けて、ネットワークから通知される異周波数測定可能フレームにて、異周波数測定を行なう移動通信システムであって、前記移動通信端末が、前記異周波数測定可能フレームと重複する不能アクセススロットを計算し、前記許可されたアクセススロットから、この不能アクセススロットを除外したアクセススロットで前記プリアンブル通信を行なうことを特徴とする移動通信システム。
【請求項２】
請求項１記載の移動通信システムであって、異周波数測定実行するときに、移動通信端末が前記ランダムアクセス通信のプリアンブル送信の不能要求を発生し、この不能要求に基づき、前記不能アクセススロットを計算し、前記許可されたアクセススロットから、この不能アクセススロットを除外したアクセススロットで前記ランダムアクセス通信を行なうことを特徴とする移動通信システム。
【請求項３】
それぞれが通信セルを構成する複数の基地局を含むネットワークの中で移動可能であり、それが存在する通信セルに対応する基地局と共通チャンネルを用いて上り方向にプリアンブル送信を行ない、このプリアンブル送信に対して基地局から下り方向に送られる許可信号に基づき、許可されたアクセススロットでランダムアクセス通信を行ない、併せて他の基地局との通信に向けて、ネットワークから通知される異周波数測定可能フレームにて異周波数測定を行なう移動通信端末であって、前記ランダムアクセス通信のアクセススロットを制限するアクセススロット変換部を備え、前記ランダムアクセス通信の要求があるときに、前記アクセススロット変換部が、前記異周波数測定可能フレームと重複する不能アクセススロットを計算し、前記許可されたアクセススロットから、この不能アクセススロットを除外したアクセススロットで前記プリアンブル通信を行なうことを特徴とする移動通信端末。
【請求項４】
請求項３記載の移動通信端末であって、異周波数測定を実行するときに、前記ランダムアクセス通信のプリアンブルの送信不能要求を発生する無線通信制御部を備え、前記アクセススロット変換部が、このプリアンブルの送信不能要求が発生したときに、前記不能アクセススロットを計算することを特徴とする移動通信端末。
【発明の詳細な説明】
【技術分野】
【０００１】
携帯電話などによる移動通信システムおよび携帯電話機などの移動通信端末に関するもので、とくに共通チャンネル受信中に異周波数測定機能を有する形式の移動通信システムおよびその移動通信端末に関するものである。
【背景技術】
【０００２】
次世代の移動通信システムにおいて、基地局でのランダムアクセス通信の衝突あるいは誤りによって生じるランダムアクセス通信の遅延を短縮し、またランダムアクセス送信間の間隔を縮小する技術が、例えば特表２００２−５２４９９０号公報で開示されている。
【特許文献１】特表２００２−５２４９９０号公報
【０００３】
しかし、ある基地局と多数の携帯電話機などの移動通信端末との間で、ある周波数でランダムアクセス通信を行なう移動通信システムにおいて、他の基地局との通信に向けて、この他の基地局の異周波数測定を行なうことが推奨されている。この異周波数測定は、Fach Measurement Occasionと呼ばれ、共通チャンネルに対して周期的に指定された異周波数測定可能フレーム（Occasion Frame）において、受信周波数を変化させて行なわれる。
【０００４】
移動通信端末はランダムアクセス要求が存在する場合には、基地局との間でランダムアクセス通信を行なう。このランダムアクセス通信では、移動通信端末は、許可されているアクセススロットの中の任意のアクセススロットを選択し、許可されているシグネチャを用いて、基地局に対しプリアンブル送信を行ない、このプリアンブル送信に対し、基地局からのＡＩＣＨと呼ばれる通信許可を受ける必要がある。
【発明の開示】
【発明が解決しようとする課題】
【０００５】
この種の異周波数測定を行なう移動通信システムにおいて、このランダムアクセス通信は基地局との間で受信周波数を固定して行なわれるので、これが異周波数測定可能フレームに重複して、それらの衝突が起こると、ランダムアクセス通信と異周波数測定の一方しか実行できない。
【０００６】
このランダムアクセス通信と異周波数測定とが衝突する場合に、ランダムアクセス通信を優先させると、異周波数測定を実行できず、この異周波数に追従できないため、他の基地局との間の通信に障害を来たす。例えば、周波数ｆａで送信している基地局Ａと、周波数ｆｂで送信している基地局Ｂとが存在し、移動通信端末が基地局Ａが構成する通信セルに存在し、この基地局Ａと通信中に、基地局Ｂに向かって移動したとすると、移動端末は基地局Ａの通信セルとの通信から、基地局Ｂの通信セルとの通信に切換える、いわゆるセルの再選択の必要があるが、異周波数測定ができず、基地局Ｂの検出ができないと、基地局Ｂのセルへの切換えを行なうことができない。
【０００７】
逆に、異周波数測定を優先させると、ランダムアクセス通信ができなくなり、端末からのパケット通信などのスループットが低下する。
【０００８】
この発明は、このようなランダムアクセス通信と異周波数測定を、より効率的に行なうことができる改良された移動通信システムとその移動通信端末を提案するものである。
【課題を解決するための手段】
【０００９】
この発明による移動通信システムは、それぞれが通信セルを構成する複数の基地局を含むネットワークの中を移動する移動通信端末が、その存在する通信セルに対応する基地局に共通チャンネルを用いて上り方向にプリアンブル送信を行ない、このプリアンブル送信に対して基地局が下り方向に前記移動通信端末へ許可信号を送った場合に、前記移動通信端末が前記共通チャネルを通じて許可されたアクセススロットでランダムアクセス通信を行ない、併せて他の基地局との通信に向けて、ネットワークから通知される異周波数測定可能フレームにて、異周波数測定を行なう移動通信システムであって、前記移動通信端末が、前記異周波数測定可能フレームと重複する不能アクセススロットを計算し、前記許可されたアクセススロットから、この不能アクセススロットを除外したアクセススロットで前記プリアンブル通信を行なうことを特徴とする。
【００１０】
また、この発明による移動通信端末は、それぞれが通信セルを構成する複数の基地局を含むネットワークの中で移動可能であり、それが存在する通信セルに対応する基地局と共通チャンネルを用いて上り方向にプリアンブル送信を行ない、このプリアンブル送信に対して基地局から下り方向に送られる許可信号に基づき、許可されたアクセススロットでランダムアクセス通信を行ない、併せて他の基地局との通信に向けて、ネットワークから通知される異周波数測定可能フレームにて、異周波数測定を行なう移動通信端末であって、前記ランダムアクセス通信のアクセススロットを制限するアクセススロット変換部を備え、前記ランダムアクセス通信の要求があるときに、前記アクセススロット変換部が、前記異周波数測定可能フレームと重複する不能アクセススロットを計算し、前記許可されたアクセススロットから、この不能アクセススロットを除外したアクセススロットで前記プリアンブル送信を行なうことを特徴とする移動通信端末。
【発明の効果】
【００１１】
この発明による移動通信システムおよび移動通信端末では、前記移動通信端末が、前記異周波数測定可能フレームと重複する不能アクセススロットを計算し、前記許可されたアクセススロットから、この不能アクセススロットを除外したアクセススロットで前記ランダムアクセス通信を行なうので、ランダムアクセス通信のプリアンブル送信が異周波数測定と重複することを、予め自動的に解消することができる。
【００１２】
また、ランダムアクセス通信が異周波数測定可能フレームと重複することがないので、例えば、ランダムアクセス通信のプリアンブルの送信が異周波数測定可能フレームと重複した後、そのランダムアクセス通信のプリアンブルを再送信することもなくなるので、ランダムアクセス通信のスループットをも改善できる。
【発明を実施するための最良の形態】
【００１３】
以下この発明のいくつかの実施の形態について、図面を参照して説明する。
【００１４】
実施の形態１．
図１は、この発明による移動通信システムに使用される移動通信端末の実施の形態１を示す。この実施の形態１の移動端末１は、Ｗ−ＣＤＭＡ方式の携帯電話機である。この移動通信端末１は、複数の基地局を含むネットワークの中で移動通信を行なう。複数の基地局はそれぞれ通信セルと呼ばれる通信エリアを形成し、移動通信端末１は、それが存在する通信セルに対応する基地局と所定周波数でランダムアクセス通信ＲＡＣを行ないながら、隣接する他の通信セルに対応する他の基地局との通信に備えて、この他の基地局の異周波数測定を行ないながら、通信セル間を移動する。
【００１５】
この移動通信端末１は、アンテナ１０、高周波部（ＲＦ部）１１、復調部１２、変調部１３、無線通信制御部１４、通信路符号化部１５、端末Ｉ／Ｆ部１６、スピーカ１７、マイク１８、カメラ１９とともに、アクセススロット変換部２０、およびランダムアクセス部２１を備えている。
【００１６】
アンテナ１０は高周波部１１に接続され、この高周波部１１と通信路符号化部１５との間には、復調部１２と変調部１３とが接続されている。アンテナ１０で受信された受信信号は、高周波部１１を介して復調部１２に入力され、この復調部１２で復調され、その復調信号は通信符号化部１５に入力され、この通信符号化部１５で復号化された後、端末Ｉ／Ｆ部１６で変換され、スピーカ１７に供給される。
【００１７】
マイク１８、カメラ１９からの送信信号は、端末Ｉ／Ｆ部１６で変換され、通信路符号化部１５で符号化された後、変調部１３で高周波変調され、高周波部１１、アンテナ１０を介して送信される。
【００１８】
無線通信制御部１４は、共通チャンネルの制御、異周波数測定の制御およびランダムアクセス通信の制御を行なうものであり、復調部１２、アクセススロット変換部２０、およびランダムアクセス部２１に接続されている。アクセススロット変換部２０は、具体的には、オケージョンフレーム／アクセススロット変換部と呼ばれるもので、異周波数測定可能フレームＦＭＯのオケージョンフレームＦＭＯ−ＦＲに基づき、ランダムアクセス通信ＲＡＣの不能アクセススロットを算出するもので、無線通信制御部１４およびランダムアクセス部２１と接続される。ランダムアクセス部２１は、無線通信制御部１４またはアクセススロット変換部２０からの指令または通知に基づき、変調部１３を制御し、ランダムアクセス通信ＲＡＣの制御を行なう。
【００１９】
さて、実施の形態１の動作を説明する。先ず移動通信端末１にランダムアクセス通信ＲＡＣの要求が存在する場合、移動通信端末１はそれが存在する通信セルに対応する基地局との間で、他の多数の移動通信端末と同じ共通チャンネルを使用し、ランダムアクセス通信を行なう。このランダムアクセス通信は、次の手順（１）（２）（３）で行なわれる。
【００２０】
（１）移動通信端末からのプリアンブル送信
このランダムアクセス通信ＲＡＣの要求に応じて、無線通信制御部１４はランダムアクセスチャンネル要求ＲＡＣＨを生成し、ランダムアクセス部２１にランダムアクセス通信ＲＡＣの開始指令とともに、ネットワークより許可されているアクセススロットおよびシグネチャを通知する。この開始指令と通知に基づき、ランダムアクセス部２１は変調部１３を制御し、許可されているアクセススロットおよび許可されているシグネチャの中から、異周波数測定可能フレームＦＭＯが指定されていない場合には、任意に選択された上りラインＵＬのアクセススロットおよびシグネチャを使用し、ランダムアクセス通信のプリアンブルＲＡＣ−ＰＲＥの送信を行なう。
【００２１】
（２）基地局からの返信
基地局は、ランダムアクセス通信のプリアンブルＲＡＣ−ＰＲＥの送信を行なった移動通信端末１に対し、同期検出表示チャンネルＡＩＣＨ（Acquisition Indicator Channel）を使用し、上りアクセスを許可する場合には、Ａｃｋ信号を返信する。上りアクセスを拒否する場合には、否定Ａｃｋ（Negative Ack）信号を返信する。この際、基地局は、ランダムアクセス通信のプリアンブルＲＡＣ−ＰＲＥが送信された上りラインＵＬのアクセススロットに対応する下りラインＤＬのアクセススロットおよびシグネチャを使用する。
【００２２】
（３）メッセージ送信
移動通信端末１は、ランダムアクセス通信のプリアンブルＲＡＣ−ＰＲＥの送信をした上りラインＵＬのアクセススロットに対応する下りラインＤＬのアクセススロットのＡＩＣＨを受信し、基地局から、上りアクセスが許可されたかどうかを判定する。Ａｃｋ信号が受信された場合には、上りアクセスが許可されたものと判定し、ランダムアクセス通信ＲＡＣのメッセージＲＡＣ−ＭＳＧの送信を行なう。もし、否定Ａｃｋ信号が受信された場合には、ランダムアクセス通信ＲＡＣを中止する。Ａｃｋ信号、否定Ａｃｋ信号の受信が確認できず、許可、または拒否の判定ができない場合には、ランダムアクセス通信ＲＡＣのプリアンブルＲＡＣ−ＰＲＥが基地局で受信されなかったものとして、上り送信電力を増加させてから、再度（１）のランダムアクセス通信ＲＡＣのプリアンブルＲＡＣ−ＰＲＥの送信を行なう。
【００２３】
ランダムアクセス通信ＲＡＣのメッセージＲＡＣ−ＭＳＧの送信、ランダムアクセス通信ＲＡＣの中止、またはランダムアクセス通信ＲＡＣのプリアンブルＲＡＣ−ＰＲＥの再送信は、復調部１２の出力を無線通信制御部１４が判定した結果、無線通信制御部１４がランダムアクセス部２１を経由して変調部１３を制御することにより、実行される。ランダムアクセス通信ＲＡＣのメッセージＲＡＣ−ＭＳＧは、上り制御データもしくはユーザーデータを含んで送信される。
【００２４】
さて、実施の形態１では、移動通信端末１が所定の基地局の通信セル内に存在するときには、その所定の基地局との間でランダムアクセス通信ＲＡＣを行なうとともに、他の隣接する基地局との将来の通信に向けて、この隣接する基地局の異周波数測定を周期的に行なうように構成される。具体的には、無線通信制御部１４は、共通チャンネルの受信中、復調部１２に対し、共通チャンネルを受信するためのＳＣＣＰＣＨ受信制御を行ない、このＳＣＣＰＣＨにおいて、ネットワークより周期的に異周波数測定可能フレームＦＭＯ( Fach Measurement Occasion)が指定され、移動通信端末１は異周波数測定可能フレームにおいて、異周波数測定を行なう。
【００２５】
ランダムアクセス通信ＲＡＣの要求は、ランダムなタイミングで発生するので、ランダムアクセス通信ＲＡＣ、具体的にはプリアンブル送信に対するＡＩＣＨ受信スロットが異周波数測定可能フレームＦＭＯと重複することが起こる可能性がある。異周波数測定可能フレームＦＭＯがネットワークより指定されると、無線通信制御部１４は、この異周波数測定測定可能フレームＦＭＯを求めるパラメータＦＭＯ−ＰＭ、および同期検出表示チャンネルＡＩＣＨとＳＣＣＰＣＨとのフレームオフセットを、アクセススロット変換部２０に通知する。
【００２６】
アクセススロット変換部２０は、通知を受けたパラメータＦＭＯ−ＰＭに基づき、異周波数測定実行フレームＦＭＯ−ＦＲを算出し、このフレームＦＭＯ−ＦＲを無線通信制御部１４に通知するとともに、このフレームＦＭＯ−ＦＲ、およびＡＩＣＨとＳＣＣＰＣＨとのフレームオフセットから、基地局へのプリアンブル送信を行なうと、これに対するＡＩＣＨの受信スロットがフレームＦＭＯ−ＦＲに衝突する不能アクセススロットＤＡＳ（disable access slot）を算出し、この不能アクセススロットＤＡＳをランダムアクセス部２１に通知する。
不能アクセススロットは次のようにして算出される。ランダムアクセス通信で用いられるアクセススロットは、１５のアクセススロット番号と、２０ｍｓｅｃの周期を持っている。下りアクセススロットの先頭タイミングは、ＡＩＣＨの偶数フレームの先頭タイミングと一致する。このＡＩＣＨのフレーム周期は１０ｍｓｅｃで、移動通信端末１は基地局との同期を取る際に、このＡＩＣＨを復調して、ＡＩＣＨのフレーム番号を得る。また、共通チャネルＳＣＣＰＣＨとＡＩＣＨのフレームタイミングとのオフセットは、ネットワークより報知されている。したがって、移動通信端末１は、「下りアクセススロットと共通チャネルとのタイミングオフセット」を知ることができる。
異周波数測定可能フレームＦＭＯは、ネットワークより所定の周期で指定されるので、「現在受信している共通チャネルのフレーム番号」に基づき、「次の異周波数測定可能フレームＦＭＯの共通チャネルにおけるフレーム番号」を計算することができ、「次の異周波数測定可能フレームＦＭＯの共通チャネルにおけるフレーム番号」と「下りアクセススロットと共通チャネルとのタイミングオフセット」に基づき、次の異周波数測定可能フレームＦＭＯと衝突する先頭アクセススロットが算出でき、共通ＣＨの周期から、次の異周波数測定可能フレームと衝突する期間が算出できるので、これにより、不能アクセススロットＤＡＳが算出できる。
【００２７】
ランダムアクセス部２１は、無線通信制御部１４から通知された、許可されたアクセススロットから、不能アクセススロットＤＡＳを除外した可能アクセススロットＡＡＳを、変調部１３に対して指定する。したがって、移動通信端末１にランダムアクセス通信ＲＡＣの要求が存在する場合、移動通信端末１は、予め設定された可能アクセススロットＡＳＳ、すなわちネットワークから許可されたアクセススロットから、異周波数測定実行フレームＦＭＯ−ＦＲと衝突する不能アクセススロットＤＡＳを除外した可能アクセススロットＡＡＳにおいて、ランダムアクセス通信のプリアンブルＲＡＣ−ＰＲＥの送信を行なうこととなり、ランダムアクセス通信ＲＡＣが異周波数測定可能フレームＦＭＯと重複することが、予め回避される結果になる。
【００２８】
このように実施の形態１の移動通信端末１およびこれを用いる移動通信システムでは、移動通信端末１が予め異周波数測定可能フレームＦＭＯと重複する不能アクセススロットＤＡＳを除外した可能アクセススロットＡＡＳを設定して、この可能アクセススロットＡＡＳでランダムアクセス通信ＲＡＣを行なうので、ランダムアクセス通信ＲＡＣが異周波数測定可能フレームＦＭＯと重複することを、予め自動的に解消することができる。
【００２９】
また、実施の形態１の移動通信端末１およびこれを用いる移動通信システムでは、ランダムアクセス通信のプリアンブルＲＡＣ−ＰＲＥの送信が異周波数測定可能フレームＦＭＯと重複することがないので、ランダムアクセス通信のプリアンブルＲＡＣ−ＰＲＥの送信が異周波数測定可能フレームＦＭＯと重複した後、そのランダムアクセス通信のプリアンブルＲＡＣ−ＰＲＥを再送信することもなくなるので、ランダムアクセス通信ＲＡＣのスループットをも改善できる。
【００３０】
図２は、実施の形態１の無線通信制御部１４の処理フローチャート、図３はそのランダムアクセス部２１の処理フローチャート、図４はそのアクセススロット変換部２０の処理フローチャートである。
【００３１】
無線通信制御部１４は、図２に示す７つのステップＳ１１からＳ１７を含む処理フローチャートで動作するように構成される。最初のステップＳ１１では、異周波数測定可能フレームＦＭＯが指定されているかどうかが判定され、その判定結果がＹｅｓならば次のステップＳ１２に進み、その判定結果がＮｏならば、３つ目のステップＳ１３に進む。ステップＳ１２では、異周波数測定を求めるパラメータＦＭＯ−ＰＭがアクセススロット変換部２０に通知される。
【００３２】
ステップＳ１３では、ランダムアクセス通信ＲＡＣを実行するかどうかが判定される。その判定結果がＹｅｓならば次のステップＳ１４に進み、無線通信制御部１４でＲＡＣＨ要求が生成される。ステップＳ１３の判定結果がＮｏならば、ステップＳ１５に進む。
ステップＳ１５では、受信フレームが異周波数測定実行フレームＦＭＯ−ＦＲであるかどうかが判定される。その判定結果がＹｅｓならば、ステップＳ１６に進み、無線通信制御部１４で異周波数測定が実行される。ステップＳ１５の判定結果がＮｏならば、次のステップＳ１７に進み、共通チャンネルが閉じているかどうかが判定される。その判定結果がＹｅｓならば、処理終了し、その判定結果がＮｏならば再びステップＳ１１に戻る。
【００３３】
ランダムアクセス部２１は、図３に示す６つのステップＳ２１からＳ２６を含む処理フローチャートで動作するように構成される。最初のステップＳ２１では、ランダムアクセス通信ＲＡＣの要求があるかどうかが判定される。この判定結果がＹｅｓならば、次のステップＳ２２に進み、ネットワークから許可されているアクセススロットから、アクセススロット変換部２０により通知された不能アクセススロットＤＡＳを除外した可能アクセススロットＡＡＳが選択される。ステップＳ２１の判定結果がＮｏならば、処理終了となる。
【００３４】
ステップＳ２２に続きステップＳ２３において、アクセススロット変換部２０からの不能アクセススロットＤＡＳが、ステップＳ２２からの可能アクセススロットＡＡＳと衝突するかどうかが確認のために判定される。この判定結果がＹｅｓならば、再びステップＳ２２に戻り、可能アクセススロットＡＳＳの選択をし直す。ステップＳ２３の判定結果がＮｏならば、次のステップＳ２４に進み、ランダムアクセス通信のプリアンブルＲＡＣ−ＰＲＥの送信が選択された可能アクセススロットＡＳＳで実行される。
【００３５】
ステップＳ２４に続き、ステップＳ２５において、同期検出表示チャンネルＡＩＣＨがＯＫかどうか、すなわち基地局からのＡｃｋ信号が受信できているかどうかの判定が行なわれる。ステップＳ２５の判定結果がＹｅｓならば、次のステップＳ２６に進み、メッセージ部分の送信、すなわちランダムアクセス通信のメッセージＲＡＣ−ＭＳＧの送信が実行される。ステップＳ２５の判定結果がＮｏならば、再びステップＳ２２に戻される。
【００３６】
アクセススロット変換部２０は、図４に示す３つのステップＳ３１からＳ３３を含む処理フローチャートで動作するように構成される。最初のステップＳ３１では、ランダムアクセス通信ＲＡＣの要求があるかどうかが判定される。この判定結果がＹｅｓならばステップＳ３２に進み、異周波数測定実行フレームＦＭＯ−ＦＲ、およびプリアンブル送信とこれに対応するＡＩＣＨ受信とのフレームオフセットから、不能アクセススロットＤＡＳの計算が実行され、この不能アクセススロットＤＡＳはランダムアクセス部２１に通知され、処理終了となる。ステップＳ３１の判定結果がＮｏならば、ステップＳ３３に進み、このステップＳ３３において、不能アクセススロットＤＡＳはないとされ、処理終了となる。
【００３７】
図５は、異周波数測定可能フレームＦＭＯに基づき、不能アクセススロットＤＡＳが設定される場合の移動通信端末１の動作を示すタイミングチャートである。図５（ａ）は移動通信端末１からの上りラインのアクセススロットを、図５（ｂ）は移動通信端末１への下りラインのアクセススロットを、図５（ｃ）はＳＣＣＰチャンネルをそれぞれ示す。図５（ａ）（ｂ）（ｃ）の横軸は時間であり、図５（ａ）（ｂ）（ｃ）で共通する同じ時間を示している。図５（ｃ）のｆは、異周波数測定可能フレームＦＭＯの周期である。
【００３８】
図５（ｃ）の異周波数測定可能フレームＦＭＯに基づき、図５（ａ）の不能アクセススロットＤＡＳが設定され、この不能アクセススロットＤＡＳを除外した可能アクセススロットＡＡＳが設定され、この可能アクセススロットＡＡＳを使用して、ランダムアクセス通信ＲＡＣが行なわれる。
【００３９】
実施の形態２．
図６はこの発明による移動通信端末の実施の形態２とそれによる移動通信システムを示す。この実施の形態２による移動通信端末１Ａは、無線通信制御部１４Ａと、これから分離された異周波数測定部２２を含み、また図１の移動通信端末１のアクセススロット変換部２０と異なるアクセススロット変換部２０Ａを含んでいる。その他の構成は、図１に示す実施の形態１の移動端末１と同じに構成され、同じ部分を同じ符号で示し、説明を省略する。
【００４０】
この実施の形態２の移動通信端末１Ａは、通信セルの再選択の性能を充分に確保できる異周波数測定周期Ｆｍに対して、これよりも短い周期ｆで異周波数測定要求ＦＭＯが指定される移動通信システムにおいて有効であり、ネットワークからの異周波数測定可能フレームの中の必要な異周波数測定可能フレームにおいて、不能アクセススロットＤＡＳを算出するようにしたものである。換言すれば、実施の形態２の移動通信端末１Ａにおいて、異周波数測定部２２は複数の異周波数測定可能フレームＦＭＯの中の特定の異周波数測定可能フレームに対応して、実際に異周波数測定を実行するように構成される。
【００４１】
実施の形態２において、無線通信制御部１４Ａは、異周波数測定部２２を分離して構成され、異周波数測定を実行する場合に、異周波数測定部２２に対して、異周波数測定実行指令ＦＭＯ−Ａを与え、この異周波数測定実行指令ＦＭＯ−Ａにより、異周波数測定実行フレームＦＭＯ―ＦＲにおける復調部１２の制御を異周波数測定部２２に委譲する。異周波数測定部２２は、無線通信制御部１４Ａから異周波数測定実行指令ＦＭＯ−Ａを受けた場合に、アクセススロット変換部２０Ａに対して、プアンブルＲＡＣ−ＰＲＥの送信不能要求を出す。アクセススロット変換部２０Ａは、このプリアンブルＲＡＣ−ＰＲＥの送信不能要求を受けた場合にのみ、不能アクセススロットＤＡＳの算出を行ない、ランダムアクセス部２１に対して通知を行なう。
【００４２】
異周波数測定部２２は、プリアンブルＲＡＣ−ＰＲＥの送信不能要求を受けない場合には、ネットワークが異周波数測定可能フレームＦＭＯを指定しても、異周波数測定を実行しない。また、ランダムアクセス部２１は、プリアンブルＲＡＣ−ＰＲＥの送信不能要求を受けない場合には、ネットワークが異周波数測定可能フレームＦＭＯを出しても、不能アクセススロットＤＡＳも指定しないので、ネットワークから許可されているすべてのアクセススロットを選択して、ランダムアクセス通信を実行することができ、ランダムアクセス通信ＲＡＣのスループットをさらに改善することができる。
【００４３】
具体的には、例えば、順次周期ｆで発生される複数の異周波数測定可能フレームＦＭＯの中で、１つ置きの異周波数測定可能フレームＦＭＯに対応して異周波数測定実行指令ＦＭＯ−Ａが出され、残りの異周波数測定要求では異周波数測定が実行されず、不能アクセススロットＤＡＳも設定されない。結果として例えば２つの異周波数測定可能フレームＦＭＯに対して、１回の異周波数測定が実行され、残りの異周波数測定可能フレームＦＭＯに対しては、不能アクセススロットＤＡＳは設定されず、ランダムアクセス通信ＲＡＣが可能とされるので、さらにランダムアクセス通信ＲＡＣのスループットの改善を図ることができる。
【００４４】
図７は実施の形態２のアクセススロット変換部２１Ａの処理フローチャート、図８はその異周波数測定部２２の処理フローチャートである。
【００４５】
アクセススロット変換部２１Ａは、図７に示す４つのステップＳ３１からＳ３４を含む処理フローチャートで動作するように構成される。ステップＳ３１、Ｓ３２、Ｓ３３は図４に示すステップと同じである。ステップＳ３４は、ステップＳ３１の判定結果がＹｅｓ、すなわちランダムアクセス通信ＲＡＣの要求があるときに、異周波数測定部２２からのプリアンブルＲＡＣ−ＰＲＥの送信不能要求があるかどうかを判定する。
【００４６】
ステップＳ３２は、ステップＳ３１、Ｓ３４の判定結果がともにＹｅｓである場合に、不能アクセススロットＤＡＳを計算し、これをランダムアクセス部２１に通知する。なお、ステップＳ３４の判定結果がＮｏであれば、ステップＳ３１の判定結果がＮｏである場合と同様に、ステップＳ３３において、不能アクセススロットＤＡＳなしとされる。
【００４７】
異周波数測定部２２は、図８に示す５つのステップＳ４１からＳ４５を含む処理フローチャートで動作するように構成される。ステップＳ４１では、無線通信制御部１４Ａからの異周波数測定実行指令ＦＭＯ−Ａがあるかどうかが判定される。この判定結果がＹｅｓならば、ステップＳ４２に進み、プリアンブルＲＡＣ−ＰＲＥの送信不能要求を生成する。もし、ステップＳ４１の判定結果がＮｏならば、ステップＳ４３に進み、不能アクセススロットなしとされ、処理終了となる。
【００４８】
ステップＳ４２でプレアンブルＲＡＣ−ＰＲＥの送信不能要求が生成されると、次のステップＳ４４に進み、受信フレームが異周波数測定フレームＦＭＯ−ＦＲが生成されたかどうかが判定される。この判定結果がＹｅｓならば、次のステップＳ４５に進み、異周波数測定が実行される。ステップＳ４４の判定結果がＮｏならば、処理終了となる。
【００４９】
図９は、実施の形態２の移動端末１Ａの動作を示すタイミングチャートである。図９は図５と同様なタイミングにおける動作を示し、図９（ａ）は上りラインのアクセススロットを、図９（ｂ）は下りラインのアクセススロットを、また図９（ｃ）はＳＣＣＰチャンネルを示す。
【００５０】
図９（ｃ）には２つの異周波数測定可能フレームＦＭＯ１、ＦＭＯ２が示されるが、後方の異周波数測定可能フレームＦＭＯ２では、不能アクセススロットＤＡＳは設定されず、ランダムアクセス通信ＲＡＣの要求があれば、それに応じてランダムアクセス通信ＲＡＣが実行される。前方の異周波数測定可能フレームＦＭＯ１に対して、不能アクセススロットＤＡＳが設定され、この不能アクセススロットＤＡＳを除外した可能アクセススロットＡＡＳで、実施の形態１と同様のランダムアクセス通信ＲＡＣが実行される。
【産業上の利用可能性】
【００５１】
この発明による移動通信システムは、例えば携帯電話機に対する通信システムとして利用され、またこの発明による移動通信端末は、例えば携帯電話機として利用される。
【図面の簡単な説明】
【００５２】
【図１】この発明による移動通信端末の実施の形態１とそれを用いる移動通信システムを示すブロック図。
【図２】実施の形態１の無線通信制御部の処理フローチャート。
【図３】実施の形態１のランダムアクセス部の処理フローチャート。
【図４】実施の形態１のアクセススロット変換部の処理フローチャート。
【図５】実施の形態１の移動通信端末のタイミングチャート。
【図６】この発明による移動通信端末の実施の形態２とそれを用いる移動通信システムを示すブロック図。
【図７】実施の形態２のアクセススロット変換部の処理フローチャート。
【図８】実施の形態２の異周波数測定部の処理フローチャート。
【図９】実施の形態２の移動通信端末のタイミングチャート。
【符号の説明】
【００５３】
１、１Ａ：移動通信端末、１４、１４Ａ：無線通信制御部、
２０、２０Ａ：アクセススロット変換部、２１：ランダムアクセス部、
２２：異周波数測定部、ＦＭＯ：異周波数測定可能フレーム、
ＤＡＳ：不能アクセススロット。
【図１】
2005210640.tif 000003
【図２】
2005210640.tif 000004
【図３】
2005210640.tif 000005
【図４】
2005210640.tif 000006
【図５】
2005210640.tif 000007
【図６】
2005210640.tif 000008
【図７】
2005210640.tif 000009
【図８】
2005210640.tif 000010
【図９】
2005210640.tif 000011